(57)【要約】      （修正有）【課題】安価な構造にして、誘引ファン出口ダンパからの排ガスのリ−ク流入を防止することのできる燃焼装置を提供する。【解決手段】第１の誘引ファン５ａと第１の誘引ファン出口ダンパ４ａの間から引き出されて第１の誘引ファン入口ダンパ３ａの排ガス流れ方向上流側に接続された第１の吸出管７ａ、ならびに第２の誘引ファン５ｂと第２の誘引ファン出口ダンパ４ｂの間から引き出されて第２の誘引ファン入口ダンパ３ｂの排ガス流れ方向上流側に接続された第２の吸出管７ｂと、第１の吸出管７ａの途中に設けられた第１の止め弁８ａならびに第２の吸出管７ｂの途中に設けられた第２の止め弁８ｂとを備えたことを特徴とする。【選択図】図１
2006207859.tif 000002
【特許請求の範囲】
【請求項１】
併設された第１の排気ダクトならびに第２の排気ダクトと、
前記第１の排気ダクトの途中に設けられた第１の誘引ファン、ならびに第２の排気ダクトの途中に設けられた第２の誘引ファンと、
前記第１の排気ダクトの第１の誘引ファン排ガス流れ方向上流側と第２の排気ダクトの第２の誘引ファン排ガス流れ方向上流側を連通する誘引ファン入口コモンダクトと、
前記第１の排気ダクトの誘引ファン入口コモンダクト接続位置と第１の誘引ファンとの間に設けられた第１の誘引ファン入口ダンパ、ならびに前記第２の排気ダクトの誘引ファン入口コモンダクト接続位置と第２の誘引ファンとの間に設けられた第２の誘引ファン入口ダンパと、
前記第１の排気ダクトの誘引ファン排ガス流れ方向下流側に設けた第１の誘引ファン出口ダンパ、ならびに前記第２の排気ダクトの誘引ファン排ガス流れ方向下流側に設けた第２の誘引ファン出口ダンパと、
前記第１の誘引ファンと第１の誘引ファン出口ダンパの間から引き出された第１の吸出管、ならびに前記第２の誘引ファンと第２の誘引ファン出口ダンパの間から引き出された第２の吸出管と、
前記第１の吸出管の途中に設けられた第１の止め弁ならびに前記第２の吸出管の途中に設けられた第２の止め弁とを備えて、
前記第１の吸出管または第２の吸出管から吸い出された気体を前記第１の誘引ファン入口ダンパまたは第２の誘引ファン入口ダンパの排ガス流れ方向上流側に戻すことを特徴とする燃焼装置。
【請求項２】
請求項１記載の燃焼装置において、
前記第１の吸出管が前記第１の誘引ファン入口ダンパの排ガス流れ方向上流側に接続され、前記第２の吸出管が前記第２の誘引ファン入口ダンパの排ガス流れ方向上流側に接続されていることを特徴とする燃焼装置。
【請求項３】
請求項２記載の燃焼装置において、
前記第１の吸出管が前記第１の誘引ファン入口ダクトの誘引ファン入口コモンダクト接続位置またはそれよりも排ガス流れ方向上流側に接続され、前記第２の吸出管が前記第２の誘引ファン入口ダクトの誘引ファン入口コモンダクト接続位置またはそれよりも排ガス流れ方向上流側に接続されていることを特徴とする燃焼装置。
【請求項４】
請求項１記載の燃焼装置において、
前記第１の吸出管ならびに第２の吸出管が共通吸出管に接続され、その共通吸出管の先端が前記誘引ファン入口コモンダクトに接続されていることを特徴とする燃焼装置。
【発明の詳細な説明】
【技術分野】
【０００１】
本発明は、複数の排気系統にそれぞれ誘引ファンを設置した発電用ボイラプラントなどの燃焼装置に係り、特に片系列運転中の停止ファン内への排ガス流入を防止するのに好適なダクトと配管の設備に関する。
【背景技術】
【０００２】
図３は、従来の燃焼装置において、片系列運転中に停止させた側の誘引ファンの内部でメンテナンス作業を行う際のファン内部への排ガスリーク流入の防止策を説明するための図である。
【０００３】
同図に示す例では、第１の誘引ファン入口ダクト９ａと第１の誘引ファン出口ダクト１０ａが連続した第１の排ガス排出系統と、第２の誘引ファン入口ダクト９ｂと第２の誘引ファン出口ダクト１０ｂが連続した第２の排ガス排出系統とが並列に設けられた２系列になっている。
【０００４】
前記第１の誘引ファン入口ダクト９ａと第２の誘引ファン入口ダクト９ｂは、誘引ファン入口コモンダクト１１により互いに連通している。一方、前記第１の誘引ファン出口ダクト１０ｂと第２の誘引ファン出口ダクト１０ｂは後端で連通して、煙突６に接続されている。
【０００５】
前記第１の誘引ファン入口ダクト９ａと第１の誘引ファン出口ダクト１０ａの間には第１の誘引ファン５ａが、第２の誘引ファン入口ダクト９ｂと第２の誘引ファン出口ダクト１０ｂの間には第２の誘引ファン５ｂが、それぞれ設置されている。
【０００６】
前記第１の誘引ファン５ａの排ガス流れ方向上流側には第１の誘引ファン入口ダンパ３ａが、第１の誘引ファン５ａの排ガス流れ方向下流側には第１の誘引ファン出口ダンパ４ａ−１と４ａ−２が、それぞれ設置されている。前記第２の誘引ファン５ｂの排ガス流れ方向上流側には第２の誘引ファン入口ダンパ３ｂが、第２の誘引ファン５ｂの排ガス流れ方向下流側には第２の誘引ファン出口ダンパ４ｂ−１と４ｂ−２が、それぞれ設置されている。
【０００７】
前記誘引ファン出口ダンパ４ａ−１と誘引ファン出口ダンパ４ａ−２の間に対応する誘引ファン出口ダクト１０ａの部分には第１のシールエア配管１２ａが接続され、そのシールエア配管１２ａに第１のシールエアダンパ１３ａが付設されている。前記誘引ファン出口ダンパ４ｂ−１と誘引ファン出口ダンパ４ｂ−２の間に対応する誘引ファン出口ダクト１０ｂの部分には第２のシールエア配管１２ｂが接続され、そのシールエア配管１２ａに第２のシールエアダンパ１３ｂが付設されている。
【０００８】
各誘引ファン出入口ダクト９，誘引ファン出口ダクト１０ならびに誘引ファン５には、メンテナンス作業などを行うためにそれぞれマンホール１が付設されている。
【０００９】
同図は第１の誘引ファン５ａの運転中に、第２の誘引ファン５ｂを停止してファン内部のメンテナンス作業を行うときの状態を示している。このため第１の誘引ファン５ａ、第１の誘引ファン入口ダクト９ａならびに第１の誘引ファン出口ダクト１０ａに付設しているマンホール１と第１のシールエアダンパ１３ａは閉状態になっており、前記第１の誘引ファン入口ダンパ３ａと第１の誘引ファン出口ダンパ４ａ−１，４ａ−２は開状態になって、排ガス１５は第１の誘引ファン５ａに誘引されて、煙突６から排出される。
【００１０】
一方、第２の誘引ファン入口ダンパ３ｂの排ガス流れ方向上流側ならびに第２の誘引ファン出口ダンパ４ｂ−２の排ガス流れ方向下流側に付設されているマンホール１は閉状態になっている。第２の誘引ファン５ｂ、第２の誘引ファン入口ダンパ３ｂと第２の誘引ファン５ｂの間、ならびに第２の誘引ファン５ｂと第２の誘引ファン出口ダンパ４ｂ−１の間に付設されているマンホール１は開状態になっている。
【００１１】
第２のシールエアダンパ１３ｂも開状態になっており、この第２のシールエアダンパ１３ｂからシールエア１４を二重に設置された第１の誘引ファン出口ダンパ４ｂ−１，４ｂ−２の間に注入することにより、出口ダンパ４ｂ−２下流側からのガスリークの遮断がなされている。この構成はガスリークを完全に遮断するものであり、安全性の確保としては技術的に妥当な解決策であった。
【００１２】
従来のこの種の技術に関しては、例えば下記特許文献１，２などを挙げることができる。
【特許文献１】特開平６−０９４２３４号公報
【特許文献２】特開平６−２６５１３２号公報
【発明の開示】
【発明が解決しようとする課題】
【００１３】
しかし、誘引ファン５は煙突６付近に設置されるものであり、シ−ルエア１４の供給元であるボイラ建屋から遠く離れた場所にあるため、長距離にわたるシ−ルエア配管１２ａ，１２ｂの布設が必要となる。更に、誘引ファン出口ダンパ４を二重に設置したりする必要があるため、設備費用が嵩む。
【００１４】
また、誘引ファン入口ダンパ３ａ，３ｂならびに誘引ファン出口ダンパ４ａ，４ｂとしてタイトシール型やギロチン型など閉止性能の高い特殊なダンパを使用すると、更に設備費用が嵩むなどの問題があった。
【００１５】
本発明の目的は、このような従来技術の問題点を解消し、安価な構造にして、排ガスのリ−ク流入による弊害を有効に防止することのできる燃焼装置を提供することにある。
【課題を解決するための手段】
【００１６】
前記目的を達成するため本発明の第１の手段は、
併設された第１の排気ダクトならびに第２の排気ダクトと、
前記第１の排気ダクトの途中に設けられた第１の誘引ファン、ならびに第２の排気ダクトの途中に設けられた第２の誘引ファンと、
前記第１の排気ダクトの第１の誘引ファン排ガス流れ方向上流側と第２の排気ダクトの第２の誘引ファン排ガス流れ方向上流側を連通する誘引ファン入口コモンダクトと、
前記第１の排気ダクトの誘引ファン入口コモンダクト接続位置と第１の誘引ファンとの間に設けられた第１の誘引ファン入口ダンパ、ならびに前記第２の排気ダクトの誘引ファン入口コモンダクト接続位置と第２の誘引ファンとの間に設けられた第２の誘引ファン入口ダンパと、
前記第１の排気ダクトの誘引ファン排ガス流れ方向下流側に設けた第１の誘引ファン出口ダンパ、ならびに前記第２の排気ダクトの誘引ファン排ガス流れ方向下流側に設けた第２の誘引ファン出口ダンパと、
前記第１の誘引ファンと第１の誘引ファン出口ダンパの間から引き出された第１の吸出管、ならびに前記第２の誘引ファンと第２の誘引ファン出口ダンパの間から引き出された第２の吸出管と、
前記第１の吸出管の途中に設けられた第１の止め弁ならびに前記第２の吸出管の途中に設けられた第２の止め弁とを備えて、
前記第１の吸出管または第２の吸出管から吸い出された気体（リークした排ガスやリークエアなど）を前記第１の誘引ファン入口ダンパまたは第２の誘引ファン入口ダンパの排ガス流れ方向上流側に戻すことを特徴とするものである。
【００１７】
本発明の第２の手段は前記第１の手段において、
前記第１の吸出管が前記第１の誘引ファン入口ダンパの排ガス流れ方向上流側に接続され、前記第２の吸出管が前記第２の誘引ファン入口ダンパの排ガス流れ方向上流側に接続されていることを特徴とするものである。
【００１８】
本発明の第３の手段は前記第２の手段において、
前記第１の吸出管が前記第１の誘引ファン入口ダクトの誘引ファン入口コモンダクト接続位置またはそれよりも排ガス流れ方向上流側に接続され、前記第２の吸出管が前記第２の誘引ファン入口ダクトの誘引ファン入口コモンダクト接続位置またはそれよりも排ガス流れ方向上流側に接続されていることを特徴とするものである。
【００１９】
本発明の第４の手段は前記第１の手段において、
前記第１の吸出管ならびに第２の吸出管が共通吸出管に接続され、その共通吸出管の先端が前記誘引ファン入口コモンダクトに接続されていることを特徴とするものである。
【発明の効果】
【００２０】
本発明によれば、従来のように長距離にわたるシールエア配管を設置する必要がなく、また誘引ファン出口ダンパを二重に設置する必要も無いので、安価な構造にして、排ガスのリ−ク流入による弊害を有効に防止することができる。
【発明を実施するための最良の形態】
【００２１】
次に本発明の第１の実施形態を図１とともに説明する。本実施形態の場合、第１の誘引ファン入口ダクト９ａと第１の誘引ファン出口ダクト１０ａが連続した第１の排ガスダクト（第１の排ガス排出系統）と、第２の誘引ファン入口ダクト９ｂと第２の誘引ファン出口ダクト１０ｂが連続した第２の排ガスダクト（第２の排ガス排出系統）とが並列に設けられた２系列になっている。
【００２２】
前記第１の誘引ファン入口ダクト９ａと第２の誘引ファン入口ダクト９ｂは、誘引ファン入口コモンダクト１１により互いに連通している。一方、前記第１の誘引ファン出口ダクト１０ａと第２の誘引ファン出口ダクト１０ｂは後端で連通して、煙突６に接続されている。
【００２３】
前記第１の誘引ファン入口ダクト９ａと第１の誘引ファン出口ダクト１０ａの間には第１の誘引ファン５ａが、第２の誘引ファン入口ダクト９ｂと第２の誘引ファン出口ダクト１０ｂの間には第２の誘引ファン５ｂが、それぞれ設置されている。
【００２４】
前記第１の誘引ファン５ａの排ガス流れ方向上流側には第１の誘引ファン入口ダンパ３ａが、第１の誘引ファン５ａの排ガス流れ方向下流側には第１の誘引ファン出口ダンパ４ａが、それぞれ１台ずつ設置されている。前記第２の誘引ファン５ｂの排ガス流れ方向上流側には第２の誘引ファン入口ダンパ３ｂが、第２の誘引ファン５ｂの排ガス流れ方向下流側には第２の誘引ファン出口ダンパ４ｂが、それぞれ１台ずつ設置されている。
【００２５】
各誘引ファン出入口ダクト９，誘引ファン出口ダクト１０ならびに誘引ファン５には、メンテナンス作業などを行うためにそれぞれにマンホール１が付設されている。
【００２６】
前記第１の誘引ファン出口ダンパ４ａの排ガス流れ方向上流側から第１の誘引ファン入口ダンパ３ａの排ガス流れ方向上流側にかけて第１の吸出管７ａが設けられ、吸出管７ａの途中に第１の止弁８ａが付設されている。また、前記第２の誘引ファン出口ダンパ４ｂの排ガス流れ方向上流側から第２の誘引ファン入口ダンパ３ｂの排ガス流れ方向上流側にかけて第２の吸出管７ｂが設けられ、吸出管７ｂの途中に第２の止弁８ｂが付設されている。
【００２７】
図１に示すように、前記第１の吸出管７ａの吸い出し口は流量の多い第１の誘引ファン入口ダクト９ａの誘引ファン入口コモンダクト接続位置またはそれよりも排ガス流れ方向上流側に接続されている。前記第２の吸出管７ｂも同様に、その吸い出し口は第２の誘引ファン入口ダクト９ｂの誘引ファン入口コモンダクト接続位置またはそれよりも排ガス流れ方向上流側に接続されている。
【００２８】
図１は第１の誘引ファン５ａの運転中に、第２の誘引ファン５ｂを停止してファン内部のメンテナンス作業を行うときの状態を示している。このため第１の誘引ファン５ａ、第１の誘引ファン入口ダクト９ａならびに第１の誘引ファン出口ダクト１０ａに付設しているそれぞれのマンホール１と第１の止弁８ａは閉状態になっており、前記第１の誘引ファン入口ダンパ３ａと第１の誘引ファン出口ダンパ４ａは開状態になって、排ガス１５は第１の誘引ファン５ａに誘引されて、煙突６から排出される。
【００２９】
一方、第２の誘引ファン入口ダンパ３ｂの排ガス流れ方向上流側ならびに第２の誘引ファン出口ダンパ４ｂの排ガス流れ方向下流側に付設されているマンホール１は閉状態になっている。第２の誘引ファン５ｂ、第２の誘引ファン入口ダンパ３ｂと第２の誘引ファン５ｂの間、ならびに第２の誘引ファン５ｂと第２の誘引ファン出口ダンパ４ｂの間に付設されているマンホール１は開状態になっている。また、第２の止弁８ｂも開状態になっている。
【００３０】
前述のように誘引ファン５ａ，５ｂが複数台設置されている場合、一台の誘引ファン５ｂを停止してもその他の誘引ファン誘引ファン５ａが作動しているため、第２の誘引ファン出口ダンパ４ｂの前後に圧力差が生じ、誘引ファン出口ダンパ４ｂを閉じていても排ガス１５がリーク流入する。
【００３１】
この時、誘引ファン入口ダンパ３ｂの上流側ダクト９ｂは、誘引ファン入口コモンダクト１１により他系列のダクト９ａと連結されているので、運転中の前記誘引ファン５ａによって大気圧以下に保たれる。従って、リーク流入した排ガス１５は吸出管７ｂを通り誘引ファン入口ダンパ３ｂの上流側に吸い出される。更に、開いたマンホール１から大気１７が流入し誘引ファンダクト内の換気も行われるため、誘引ファン５ｂへの排ガス１５の流入を防止することができる。
【００３２】
図２は、本発明の第２の実施形態に係る燃焼装置の誘引ファン付近の系統図である。
【００３３】
本実施形態の場合、前記第１の誘引ファン出口ダンパ４ａの排ガス流れ方向上流側から引き出した第１の吸出管７ａと、前記第２の誘引ファン出口ダンパ４ｂの排ガス流れ方向上流側から引き出した第２の吸出管７ｂを、共通吸出管７ｃに接続し、その共通吸出管７ｃの先端部を誘引ファン入口コモンダクト１１の中央部に接続している。
【００３４】
前記第１の吸出管７ａの途中に第１の止弁８ａが、第２の吸出管７ｂの途中に第２の止弁８ｂが付設されている。
【００３５】
図２は第１の誘引ファン５ａの運転中に、第２の誘引ファン５ｂを停止してファン内部のメンテナンス作業を行うときの状態を示している。このため第１の誘引ファン５ａ、第１の誘引ファン入口ダクト９ａならびに第１の誘引ファン出口ダクト１０ａに付設しているそれぞれのマンホール１と第１の止弁８ａは閉状態になっており、前記第１の誘引ファン入口ダンパ３ａと第１の誘引ファン出口ダンパ４ａは開状態になって、排ガス１５は第１の誘引ファン５ａに誘引されて、煙突６から排出される。
【００３６】
一方、第２の誘引ファン入口ダンパ３ｂの排ガス流れ方向上流側ならびに第２の誘引ファン出口ダンパ４ｂの排ガス流れ方向下流側に付設されているマンホール１は閉状態になっている。第２の誘引ファン５ｂ、第２の誘引ファン入口ダンパ３ｂと第２の誘引ファン５ｂの間、ならびに第２の誘引ファン５ｂと第２の誘引ファン出口ダンパ４ｂの間に付設されているマンホール１は開状態になっている。また、第２の止弁８ｂも開状態になっている。
【００３７】
前述のように誘引ファン５ａ，５ｂが複数台設置されている場合、一台の誘引ファン５ｂを停止してもその他の誘引ファン誘引ファン５ａが作動しているため、第２の誘引ファン出口ダンパ４ｂの前後に圧力差が生じ、誘引ファン出口ダンパ４ｂを閉じていても排ガス１５の一部がリーク流入する。
【００３８】
この時、誘引ファン入口ダンパ３ｂの上流側ダクト９ｂは、誘引ファン入口コモンダクト１１により他系列のダクト９ａと連結されているので、運転中の前記誘引ファン５ａによって大気圧以下に保たれる。従って、リーク流入した排ガス１５は吸出管７ｂならびに共通吸出管７ｃを通り、誘引ファン入口コモンダクト１１に吸い出される。更に、開いたマンホール１から大気１７が流入し誘引ファンダクト内の換気も行われるため、誘引ファン５ｂへの排ガス１５の流入を防止することができる。
【００３９】
前記実施形態では２系統の場合について説明したが、本発明は３系統以上の場合にも適用可能である。
【図面の簡単な説明】
【００４０】
【図１】本発明の第１の実施形態に係る燃焼装置の誘引ファン付近の系統図である。
【図２】本発明の第２の実施形態に係る燃焼装置の誘引ファン付近の系統図である。
【図３】従来に係る燃焼装置の誘引ファン付近の系統図である。
【符号の説明】
【００４１】
１：マンホール、３ａ：第１の誘引ファン入口ダンパ、３ｂ：第２の誘引ファン入口ダンパ、４ａ：第１の誘引ファン出口ダンパ、４ｂ：第２の誘引ファン出口ダンパ、５ａ：第１の誘引ファン、５ｂ：第２の誘引ファン、６：煙突、７ａ：第１の吸出管、７ｂ：第２の吸出管、７ｃ：共通吸出管、８ａ：第１の止め弁、８ｂ：第２の止め弁、９ａ：第１の誘引ファン入口ダクト、９ｂ：第２の誘引ファン入口ダクト、１０ａ：第１の誘引ファン出入口ダクト、１０ｂ：第２の誘引ファン出入口ダクト、１１：誘引ファン入口コモンダクト、１５：排ガス、１６：リークエア、１７：大気。
【図１】
2006207859.tif 000003
【図２】
2006207859.tif 000004
【図３】
2006207859.tif 000005